(57)【特許請求の範囲】
【請求項１】
基体と基体から立ち上がる第１ア−ムと、前記第１ア−ム側と基体側のいずれかに選択的に止着でき、先端側に竿掛け部を設けた第２ア−ムを有することを特徴とする竿掛け。
【請求項２】
竿受け部が、基体に取り付けられた第１ア−ムの上端か第１ア−ムに取り付けられた第２ア−ムの後端に止着できることを特徴とする請求項１記載の竿掛け。
【請求項３】
基体と基体から立ち上がる第１ア−ムと、前記第１ア−ムの少なくとも上端側と下端側のいずれかに選択的に止着でき、先端側に竿掛け部を設けた第２ア−ムを有することを特徴とする竿掛け。
【発明の詳細な説明】
【０００１】
【発明の属する技術分野】
本発明は、リ−ルを装着した釣竿を掛ける竿掛けの改良に関する。
【０００２】
【従来の技術】
従来から筏釣りは、湾内に浮かべた釣り用の筏に乗って主に黒鯛を狙う釣りで、筏の真下がポイントとなるため短尺な釣竿に小型両軸リ−ルや片軸リ−ルを付けたタックルを使用する。
タックルが簡易で軽量なことに加え手返しの早い釣りであるため、竿掛けを使用しないときもあるが、次に投入する餌の準備があり釣竿を置いて手が空けられると有利なため竿掛けを用いる人が多い。
この場合、タックルに合わせて竿掛けも比較的簡易なものが用いられる。
【０００３】
両軸リ−ルを用いたタックルに使用される竿掛けは、両軸リ−ルが釣竿の上側に載った状態で使用されるため例えば実用新案第２５１６８８４号公報のように、基体から上方に延びる第１軸とこの第１軸から横方向に延びる第２軸を有し、第２軸の前側に竿掛け部を、第２軸の後側にリ−ル底部の受け台を有する竿受け部を有する、いわゆるＴ字型のものが用いられている。
また、片軸リ−ルを用いたタックルに使用される竿掛けは、片軸リ−ルが釣竿の下側にぶら下がって止着された状態で使用されるため例えば実公昭５３−３１２７０号公報のように、基体から上方に伸びる第１軸と基体から前方に延びる第２軸を有し、第２軸の先端に竿掛け部を、第１軸の先端にＵ字状竿受け部を有する、いわゆるＶ字型のものが用いられている。
Ｖ字型の竿掛けでは、Ｕ字状竿受け部の前側にリ−ルを位置し、Ｕ字状竿受け部で竿尻を受けている。
基体は万力を用いたり、または直接ビスで筏に止着されている。
【０００４】
前記のように、両軸リ−ルを用いたタックルと片軸リ−ルを用いたタックルに応じて竿掛けを使い分けるため、両タックルを使用する時には両方の竿掛けを持参しなければならないのは不合理であった。
【０００５】
【発明が解決しようとする課題】
解決しようとする問題点は、タックルに応じて竿掛けを使い分けるため、両タックルを使用する時には両方の竿掛けを持参しなければならないことである。
【０００６】
本発明の目的は前記欠点に鑑み、一組の竿掛け部品群で複数のタックルに対応する竿掛けを提供することである。
【０００７】
【課題を解決するための手段】
上記課題を解決するために、
請求項１に係わる本発明は、基体と基体から立ち上がる第１ア−ムと、前記第１ア−ム側と基体側のいずれかに選択的に止着でき、先端側に竿掛け部を設けた第２ア−ムを有することを要旨とするものである。
請求項２に係わる本発明は、竿受け部が、基体に取り付けられた第１ア−ムの上端か第１ア−ムに取り付けられた第２ア−ムの後端に止着できることを要旨とするものである。
請求項３に係わる本発明は、基体と基体から立ち上がる第１ア−ムと、前記第１ア−ムの少なくとも上端側と下端側のいずれかに選択的に止着でき、先端側に竿掛け部を設けた第２ア−ムを有することを要旨とするものである。
【０００８】
【発明の実施の形態】
本発明により、筏釣りの両軸リ−ルを用いたタックルに使用されるＴ字型の竿掛けと、片軸リ−ルを用いたタックルに使用されるＶ字型竿掛けを１つの竿掛け部品群の組合せで兼用でき、両方の竿掛けを持参する必要が無くなる。
【０００９】
【実施例】
以下、本発明の実施例を図面に基づき説明すると、図１から図７は第１実施例で、図１は竿掛けの（ａ）Ｔ字型側面図で（ｂ）Ｖ字型側面図、図２は竿掛けの基体の（ａ）拡大側面図で（ｂ）拡大正面図、図３は竿掛けの第１ア−ムの拡大側面図、図４は竿掛けの第２ア−ムの拡大側面図、図５は竿掛けの保持部材の（ａ）拡大側面図で（ｂ）拡大断面正面図、図６は竿掛けの竿掛け部の（ａ）拡大側面図で（ｂ）拡大正面図で（ｃ）拡大平面図、図７は竿掛けの竿受け部の（ａ）拡大側面図で（ｂ）拡大正面図で（ｃ）拡大斜視図、図８はＴ字型竿掛けに釣竿が載せられた側面図、図９はＶ字型竿掛けに釣竿が載せられた側面図である。
【００１０】
竿掛けは図１（ａ）のＴ字型と（ｂ）のＶ字型の構成がある。
竿掛けは基体１と第１ア−ム２と第２ア−ム３と、第１ア−ム２と第２ア−ム３の両端に固定された連結部４と、保持部材５と竿掛け部６と竿受け部７の部品群で構成されている。
基体１は台部１ａの上に両側部１ｂ、１ｃが形成されて両側部１ｂ、１ｃの上方に横向きの透孔１ｄが形成され、両側部１ｂ、１ｃの前側に横向きの透孔１ｅが形成されている。
【００１１】
竿掛けが図１（ａ）のＴ字型の構成では、基体１の透孔１ｄ位置に第１ア−ム２の下端に固定された連結部４が位置されてビス１０とナットで取り付けられて基体１から第１ア−ム２が立ち上げられている。
第１ア−ム２の上端に固定された連結部４に保持部材５がビス１１とナツト１２で取り付けられている。
保持部材５には第２ア−ム３の中程より後側が取り付けられているが、第２ア−ム３のいずれの位置でも取り付けられる。
第２ア−ム３の先端に固定された連結部４に竿掛け部６がビス１３とナットで取り付けられている。
第２ア−ム３の後端に固定された連結部４に竿受け部７がビス１４とナットで取り付けられている。
【００１２】
第１ア−ム２の下端に固定された連結部４は、第１ア−ム２の端部が嵌合される筒部４ａと基体１の両側部１ｂ、１ｃの間に嵌まる円形平板部４ｂと透孔４ｃで形成されている。
第１ア−ム２の上端に固定された連結部４、第２ア−ム３の先端と後端に固定された連結部４は前記第１ア−ム２の下端に固定された連結部４と略同形に形成されている。
保持部材５は側面Ｖ字形の保持板５ａの上部に第２ア−ム３の外径が嵌合可能なスリ割５ｂが形成されると共にスリ割５ｂより下側に連結部４の円形平板部４ｂが嵌まるスリ割５ｃが形成され、スリ割５ｃ位置に透孔５ｄが形成されている。
透孔５ｄと透孔４ｃにはビス１１が挿通されてビス１１にナット１２が螺合されている。
ビス１１が締め付けられると、第２ア−ム３に保持部材５が取り付けられると共に第１ア−ム２に連結部４を介して保持部材５が取り付けられる。
【００１３】
竿掛け部６は、側面山形で保持部６ａに連結部４の円形平板部４ｂが嵌まるスリ割６ｂが形成され、スリ割６ｂ位置に透孔６ｃが形成されている。
保持部６ａの前側に二股６ｄ、６ｄが形成されている。
竿受け部７は、側面Ｙ字形で保持部７ａに連結部４の円形平板部４ｂが嵌まるスリ割７ｂが形成されると共に保持部７ａに透孔７ｃが形成され、保持部７ａの上部に一対のＹ字形リ−ル底部の受け台７ｄ、７ｄと一対のＹ字形の間にＵ字形の竿掛け部７ｅが形成されている。
【００１４】
竿掛けが図１（ｂ）のＶ字型の構成では、基体１の透孔１ｄ位置に第１ア−ム２の下端に固定された連結部４が位置されてビス１０とナットで取り付けられて基体１から第１ア−ム２が立ち上げられている。
第１ア−ム２の上端には連結部４を介して竿受け部７がビス１５とナットで取り付けられている。
基体１の透孔１ｅ位置に第２ア−ム３の下端に固定された連結部４が位置されてビス１６とナットで取り付けられている。
第２ア−ム３の先端に固定された連結部４に竿掛け部６がビス１３とナットで取り付けられている。
【００１５】
Ｔ字型の竿掛けに釣竿が載せられる時は、図８のように竿受け部７の受け台７ｄ上に両軸リ−ル１７が載せられ、竿掛け部６の二股６ｄ、６ｄの間に釣竿１８が載せられる。
Ｖ字型の竿掛けに釣竿が載せられる時は、図９のように片軸リ−ル１９が竿受け部７の前側になるように配置されて竿受け部７のＵ字形の竿掛け部７ｅと竿掛け部６の二股６ｄ、６ｄの間に釣竿１８が載せられる。
【００１６】
前記のように竿掛けが構成されると、筏釣りの両軸リ−ルを用いたタックルに使用されるＴ字型の竿掛けと、片軸リ−ルを用いたタックルに使用されるＶ字型竿掛けを１つの竿掛け部品群の組合せで兼用でき、両方の竿掛けを持参する必要が無くなる。
【００１７】
前記説明のビス１０、１１、１３、〜、１６とナット１２はマイナスドライバ−で操作されるように図示したが、ツマミが蝶形のネジやナットとしてもよい。
【００１８】
図１０は第１実施例におけるＶ字型の竿掛けの展開例で、図１０はＶ字型竿掛けに釣竿が載せられた側面図である。
【００１９】
前記第１実施例では保持部材５が第２ア−ム３に取り付けられているが、この展開例では保持部材５が第１ア−ム２に取り付けられ、保持部材５に第２ア−ム３が連結部４を介してビス１１とナットで取り付けられている。
したがって、保持部材５は第１ア−ム２の長手方向のいずれの位置にも止着することができる。
すなわち、保持部材５を第１ア−ム２の上端側に止着して第２ア−ム３を水平になるようにすればＴ字型の竿掛けとすることができ、さらに、図１０のように保持部材５を第２ア−ム３の下端側に止着して第２ア−ム３が斜め上方に突出するようにすればＶ字型の竿掛けとすることができる。
他の構成は前記第１実施例の特に図９と略同一である。
【００２０】
図１１、図１２は竿受け部の変形例で、図１１は竿掛けの竿受け部の（ａ）拡大側面図で（ｂ）拡大正面図で（ｃ）拡大斜視図、図１２は変形例の竿受け部が取り付けられた（ａ）Ｔ字型側面図で（ｂ）Ｖ字型側面図である。
【００２１】
竿受け部８は、側面Ｙ字形で保持部８ａに２つの連結部４の円形平板部４ｂが嵌まるスリ割８ｂが形成されると共に保持部８ａに２つの透孔８ｃ、８ｆが形成され、保持部８ａの上部に一対のＹ字形リ−ル底部の受け台８ｄ、８ｄと一対のＹ字形の間にＵ字形の竿掛け部８ｅが形成されている。
【００２２】
竿掛けが図１２（ａ）のＴ字型の構成では、基体１の透孔１ｄ位置に第１ア−ム２の下端に固定された連結部４が位置されてビス１０とナットで取り付けられて基体１から第１ア−ム２が立ち上げられている。
第１ア−ム２の上端に固定された連結部４の透孔４ｃに竿受け部８の透孔８ｃが合致されてビス１５とナツトで取り付けられている。
竿受け部８の透孔８ｆには第２ア−ム３の後端に固定された連結部４の透孔４ｃが合致されてビス１７とナツトで取り付けられている。
第２ア−ム３の先端に固定された連結部４に竿掛け部６がビス１３とナットで取り付けられている。
【００２３】
竿掛けが図１２（ｂ）のＶ字型の構成では、基体１の透孔１ｄ位置に第１ア−ム２の下端に固定された連結部４が位置されてビス１０とナットで取り付けられて基体１から第１ア−ム２が立ち上げられている。
第１ア−ム２の上端には連結部４を介して竿受け部８がビス１５とナットで取り付けられている。
基体１の透孔１ｅ位置に第２ア−ム３の下端に固定された連結部４が位置されてビス１６とナットで取り付けられている。
第２ア−ム３の先端に固定された連結部４に竿掛け部６がビス１３とナットで取り付けられている。
【００２４】
【発明の効果】
本発明は、筏釣りの両軸リ−ルを用いたタックルに使用されるＴ字型の竿掛けと、片軸リ−ルを用いたタックルに使用されるＶ字型竿掛けを１つの竿掛け部品群の組合せで兼用でき、両方の竿掛けを持参する必要が無くなる。
【図面の簡単な説明】
【図１】第１実施例で、竿掛けの（ａ）Ｔ字型側面図で（ｂ）Ｖ字型側面図である。
【図２】同竿掛けの基体の（ａ）拡大側面図で（ｂ）拡大正面図である。
【図３】同竿掛けの第１ア−ムの拡大側面図である。
【図４】同竿掛けの第２ア−ムの拡大側面図である。
【図５】同竿掛けの保持部材の（ａ）拡大側面図で（ｂ）拡大断面正面図である。
【図６】同竿掛けの竿掛け部の（ａ）拡大側面図で（ｂ）拡大正面図で（ｃ）拡大平面図である。
【図７】同竿掛けの竿受け部の（ａ）拡大側面図で（ｂ）拡大正面図で（ｃ）拡大斜視図である。
【図８】同Ｔ字型竿掛けに釣竿が載せられた側面図である。
【図９】同Ｖ字型竿掛けに釣竿が載せられた側面図である。
【図１０】第１実施例におけるＶ字型の竿掛けの展開例で、Ｖ字型竿掛けに釣竿が載せられた側面図である。
【図１１】竿受け部の変形例で、竿掛けの竿受け部の（ａ）拡大側面図で（ｂ）拡大正面図で（ｃ）拡大斜視図である。
【図１２】同変形例の竿受け部が取り付けられた（ａ）Ｔ字型側面図で（ｂ）Ｖ字型側面図である。
【符号の説明】
１  基体
２  第１ア−ム
３  第２ア−ム
６  竿掛け部
７、８  竿受け部
【図１】
0004425503.tif 000002
【図２】
0004425503.tif 000003
【図３】
0004425503.tif 000004
【図４】
0004425503.tif 000005
【図５】
0004425503.tif 000006
【図６】
0004425503.tif 000007
【図７】
0004425503.tif 000008
【図８】
0004425503.tif 000009
【図９】
0004425503.tif 000010
【図１０】
0004425503.tif 000011
【図１１】
0004425503.tif 000012
【図１２】
0004425503.tif 000013